(57)【要約】  本発明は、航空機の貨物エリア（２）に取り外し可能に配置されるように構成された少なくとも１つのモジュール（１８、２２）、特に、航空機の上部デッキ（７０）と連通することができる少なくとも１つのアクセス手段（１６）を備えるアクセスモジュール（１８）、および／または乗客の快適性を向上させるための少なくとも１つの快適性装置（２０）を備える快適性モジュール（２２）を備える、航空機の少なくとも１人の乗客を収容することを目的としたモジュール配置であって、  モジュール（１８、２２）が、貨物エリア（２）に配置されたモジュール（１８、２２）の外部の少なくとも１つの空間と連通するように構成される、モジュール配置に関する。本発明はまた、航空機の貨物エリア（２）に配置された少なくとも１つのそのようなモジュール配置を備える航空機客室に関する。
2020520840.tif 000002
【特許請求の範囲】
【請求項１】
航空機の貨物エリア（２）に取り外し可能に配置されるように構成された少なくとも１つのモジュール（１８、２２）、特に、航空機の上部デッキ（７０）が、モジュールと連通できるようにする少なくとも１つのアクセス手段（１６）を備えるアクセスモジュール（１８）、および／または、乗客の快適性を向上させるために設けられた少なくとも１つの快適性装置（２０）を備える快適性モジュール（２２）、を備える、航空機の少なくとも１人の乗客を収容することを目的としたモジュール配置であって、
モジュール（１８、２２）が、貨物エリア（２）に配置されたモジュール（１８、２２）の外部の少なくとも１つの空間と連通するように構成されることを特徴とする、モジュール配置。
【請求項２】
モジュール（１８、２２）が、隣接するモジュール（１８、２２）と連通するように構成される、請求項１に記載のモジュール配置。
【請求項３】
モジュール（１８、２２）が、航空機の長手方向軸線に沿って隣接するモジュール（１８、２２）と並んで配置されるように構成されている、請求項１から２のいずれか一項に記載のモジュール配置。
【請求項４】
モジュール（１８、２２）が、少なくとも１つの隣接するモジュール（１８、２２）と連通するように構成された、第１の通路（２４）および／または第２の通路（２４）を備える、請求項３に記載のモジュール配置。
【請求項５】
第１の通路および第２の通路（２４）が、モジュール（１８、２２）の長手方向軸線に平行に延在する方向に沿って、モジュール（１８、２２）の対向面の高さに配置される、請求項４に記載のモジュール配置。
【請求項６】
モジュール（１８、２２）が、第１の通路（２４）と第２の通路（２４）との間に主通路（２６）を備える、請求項４または５のいずれか一項に記載のモジュール配置。
【請求項７】
モジュール（１８、２２）、特に構造要素（１４）が、航空機の貨物エリア（２）に取り外し可能な方法で積み込まれるように構成されたボックス（２７）を備える、請求項１から６のいずれか一項に記載のモジュール配置。
【請求項８】
モジュール（１８、２２）が、
動力、特に電力の分配、データの送信および／または流体の分配のための少なくとも１つの内部ネットワーク（５０）と、
モジュールの外部との内部ネットワーク（５０）の少なくとも１つの接続インターフェース（５２）と、
を備える、請求項１から７のいずれか一項に記載のモジュール配置。
【請求項９】
モジュール（１８、２２）の接続インターフェース（５２）が、隣接するモジュール（１８、２２）の少なくとも１つの接続インターフェース（５２）と係合するように構成される、請求項８に記載のモジュール配置。
【請求項１０】
モジュールが、快適性モジュール（２２）を画定するために、乗客の快適性、特に１つまたは複数の睡眠ユニット（３８）を改善する少なくとも１つの快適性装置（２９）を備える、請求項１から９のいずれか一項に記載のモジュール配置。
【請求項１１】
快適性モジュール（２２）が、主通路（２６）と平行に配置された少なくとも１つの第１の睡眠ユニット（３８）、および／または、主通路（２６）に対して垂直に配置された少なくとも１つの第２の睡眠ユニット、を備える、請求項１０に記載のモジュール配置。
【請求項１２】
モジュールが、航空機の上部デッキ（７０）が、アクセスモジュール（１８）を画定するために、モジュール、特に階段（６０）またははしごと連通できるようにする少なくとも１つのアクセス手段（１６）を備える、請求項１から１１のいずれか一項に記載のモジュール配置。
【請求項１３】
構造要素（１４）が、様々な所定の構成に従ってアクセス手段（１６）の取付けを可能にするように構成される、請求項１２に記載のモジュール配置。
【請求項１４】
貨物エリア（２）内に配置された、請求項１から１３のいずれか一項に記載の少なくとも１つのモジュール配置を備える航空機客室。
【請求項１５】
モジュール配置が、少なくとも１つのアクセスモジュール（１８）および／または少なくとも１つの快適性モジュール（２２）を備える、請求項１４に記載の客室。
【発明の詳細な説明】
【技術分野】
【０００１】
本発明は、航空機の少なくとも１人の乗客を収容することを目的としたモジュール配置に関する。より具体的には、本発明によるモジュール配置は、航空機の貨物エリアに取り外し可能に提供されること目的としている。加えて、本発明は、少なくとも１つのそのようなモジュール配置、有利には、特に航空機の貨物エリアに複数の同様のモジュール配置を備える航空機客室にも関する。
【背景技術】
【０００２】
航空機、特に２つの主通路を含む長距離航空機では、貨物エリアは未使用であることが多く、および／または占有率が低下している、貨物エリアを、下部デッキが備える。したがって、貨物エリアを客室空間、すなわち飛行中に乗客、特に座席に座った乗客を収容するための空間に変更することがすでに検討されてきた。そのような配置は、決定的または一時的であり、かつ／または可逆的または不可逆的な方法で達成され得る。「一時的および／または可逆的」という用語は、必要に応じて迅速に設置および取り外しが可能な配置を説明するために使用される。その配置は、貨物の輸送に関して従来の方法で、または上記に示されるように本発明に従って、貨物エリアを使用して乗客を収容する。
【０００３】
乗客、ならびに前記乗客を歓迎して乗客の快適性および安全性を保証する担当客室乗務員を従来は収容する上部デッキから、下部デッキはアクセス可能とされ、上部デッキから下部デッキへの通過を可能にする。「客室乗務員」という用語は、航空機の操縦に従事するスタッフを除き、様々な飛行の段階中に航空機内で作業および仕事をするスタッフ（ホステス、スチュワードなど）を説明するために、本明細書および以下の説明で使用される。さらに、「客室乗務員」という用語は乗客を除くことを意味していることにも留意すべきである。
【０００４】
本説明では、「上部デッキ」という用語は、航空機の乗客が着席する従来の空間を説明するために使用される。したがって、ボーイング７４７またはエアバスＡ３８０タイプの航空機について、「上部デッキ」という用語は、乗客が着席する２つの重なった空間を含む。したがって、本発明によれば、「上部デッキ」は乗客を収容することを目的としているのに対し、「下部デッキ」は本発明の範囲内では、乗客を収容し、および／または航空機の貨物エリアに保管されている荷物および／または商品を受け入れることを目的としているので、「上部デッキ」という用語が「下部デッキ」とは対照的に使用される。
【０００５】
本発明の日付に適用可能なガイドラインおよび規制によれば、下部デッキの乗客の存在は、地上走行、離陸および着陸段階以外の飛行期間中にのみ許可される。これらの段階では、すべての乗客は上部デッキエリアに着席していなければならない。
【０００６】
乗客を収容するための貨物エリアの配置に関する困難は数多い。第１に、乗客用の収容エリア内への貨物エリアの配置の構成は、柔軟である必要があり、つまり、様々な構成に従って配置可能であり、また、この配置の構成は、装備されるべき様々なタイプの航空機に対して、かつ輸送される乗客および／または商品に関する需要に対して、適合可能である必要がある。さらに、このような解決策の経済的実行可能性を保証するために、乗客を収容するための貨物エリアの配置にかかるコストを可能な限り削減する必要がある。同時に、乗客を収容することを目的とする貨物エリアに、上部デッキの床と貨物エリアとの間にアクセス開口部を提供するか、または、様々な流体、特に電力と空調の供給を可能にするインターフェースを提供するなどの、航空機に対する不可逆的な変更は、最小限に削減されなければならない。最後に、乗客を収容するための配置がその収容能力を制限せずに、貨物エリアは当初の目的、すなわち商品の輸送専用のエリアに最短時間で戻れなければならない。
【０００７】
しかしながら、貨物ゾーンの天井高が低いと問題が生じる。実際、貨物エリアにいる乗客および／または客室乗務員メンバーは立ち上がることができない。そのような状況は、乗客および／または客室乗務員の快適さを損なう。
【０００８】
現在、提案されている配置はこれらの目標を十分に満たしていない。
【発明の概要】
【課題を解決するための手段】
【０００９】
本発明は状況を改善することを提案する。この目的のために、本発明は、航空機の少なくとも１人の乗客を収容することを目的としたモジュール配置に関する。前記配置は、航空機の貨物エリアに取り外し可能に配置されるように構成された少なくとも１つのモジュール、特に構造要素を含む。
【００１０】
有利には、モジュールは、航空機の上部デッキからのアクセス手段をさらに備え、アクセス手段は、特に構造要素に収容され、モジュールは、上部デッキとモジュールの外部の少なくとも１つの空間との間の連通を可能にするように構成され、「アクセスモジュール」と呼ばれるモジュールを形成するために、貨物エリアに配置される。
【００１１】
変形形態では、モジュールは、特に構造要素に収容された乗客の快適性を改善するための快適性装置を含むことができる。加えて、モジュールは、「快適性モジュール」と呼ばれるモジュールを形成するために、モジュールの外部にあり、貨物エリアに配置される少なくとも１つの空間と連通するように構成され得る。
【００１２】
変形形態では、モジュールは、機能性モジュール、すなわち、貨物エリアに、特に貨物エリアに配置された他のモジュールに動力、特に電力、データ、特にデジタルデータ、および／または流体を供給するように、貨物エリアに配置されたモジュールの外部の少なくとも１つの空間と連通するように構成されたモジュールを形成することができる。機能性モジュールは、有利には、航空機の１つまたは複数の機内システムに接続されるように構成される。
【００１３】
さらに別の変形形態では、モジュールは、衛生モジュール、すなわち、モジュールの外部の少なくとも１つの空間、特に貨物エリアに配置された１つまたは複数の他のモジュールと連通するように構成されたモジュールを形成することができ、その衛生モジュールは乗客および／または客室乗務員のメンバー用トイレを備える。
【００１４】
本発明によるモジュールにより、貨物エリアを柔軟に装備することが可能である。加えて、本発明によれば、貨物エリアは、特に航空会社の要件および／または選好を満たすように設計された様々なモジュール配置に従って構成可能である。このタイプの柔軟性および／またはモジュール性は、特に、標準モジュールのカタログから取られた限られた数の要素によって達成され、それらの異なる組み合わせは、航空機の特殊性を考慮して、必要性に基づいて貨物エリアの配置に適合させるであろう。加えて、本発明は、特に、最適な構成を達成し、貨物エリアおよび／または上部デッキの空間占有を最適化するために、アクセス手段の様々な配向を可能にする。モジュールはさらに、全収容能力にすばやく戻すことを保証するために、貨物エリアをすばやく空にすることができる。
【００１５】
有利なことに、モジュールがアクセス手段を備える場合、快適性装置を備えない。別法として、モジュールは快適性装置を備え、アクセス手段を備えない。代替バージョンでは、快適性モジュールは、アクセス手段と、少なくとも１つの快適性装置とを備えることができる。
【００１６】
アクセスモジュールの場合、モジュールは、好ましくは１つまたは複数の快適性モジュールに関連付けられるように意図される。また、それは乗客を収容する目的のエリアを有する貨物エリアに装備するために使用可能であり、前記エリアは快適性モジュールによって達成されない。
【００１７】
快適性モジュールの場合、モジュールは、好ましくは１つまたは複数の他の快適性モジュールおよび／または少なくとも１つのアクセスモジュールに関連付けられるように意図される。また、それは乗客を収容する目的のエリアを有する貨物エリアに装備するために使用され得るが、しかしそれは快適性モジュールから完全には作製されておらず、および／または上部デッキからのそのアクセスは、アクセスモジュールによっては達成されない。
【００１８】
特に、アクセスモジュールの場合、モジュールは、下部と、下部用の天井を形成する上部とを備えることができる。天井は、有利には、下部から独立しており、下部に固定されている。天井は、モジュール内部へのアクセスを提供するハウジングを備え、そのようなハウジングは、航空機の上部デッキの床に設けられたアクセスハッチの反対側に設けられるように意図される。前記ハウジングは、例えば、アクセスハッチの形状に実質的に類似した形状を有する。変形形態では、ハウジングはアクセスハッチよりも大きい。さらに別の変形形態では、モジュールの上部が完全に開放している。
【００１９】
本発明はまた、貨物エリアと、貨物エリアとは別の高さに位置する上部デッキと、上部デッキと貨物エリアとを連通可能にする少なくとも１つのアクセス手段と、を備える航空機の客室を提案する。貨物エリアは、少なくとも１人の乗客を収容できるように構成される。アクセス手段は、階段などのアクセス手段を備え、上部デッキは、特にアクセス手段の近傍に少なくとも局所的に上げ床を有し、その結果、貨物エリアの少なくとも1つの部分に、貨物エリアの残りの天井高よりも高い天井高を提供する。
【００２０】
本発明は、特に、上部デッキでアクセス手段を囲むエリアと直角を形成する空間の使用が低い天井高で達成され得るという出願人の観察に基づいている。したがって、前述の空間の使用条件に影響を与えることなく、上部デッキの床を局所的に上げることが可能である。上部デッキの床のこの局所的な上昇は、貨物エリアの少なくとも１つの部分でより高い天井高を提供する。したがって、貨物エリアのこの部分にいる乗客および客室乗務員メンバーは、少なくとも局所的に立ち上がることができる。
【００２１】
本発明の補完的または代替的な特徴によれば、個々に、またはそれらの１つまたは複数の組み合わせとして考えることができる：
−モジュールは、隣接するモジュールと連通するように構成される、
−モジュールは、特に航空機の長手方向軸線に沿って、有利にはモジュールの長手方向にも対応して、近接し、隣接し、または連続するモジュールの隣に提供されるように構成される、
−モジュールは、貨物エリアの幅の全部または部分にわたって、特に貨物エリアの幅全体にわたって延在するように構成される、
−モジュールは、航空機の側面を通って貨物エリアに積み込まれるように構成される、
−モジュールは、設置中にモジュールの長手方向に沿って移動されるように構成される、
−モジュールは、特に対応する各通路の高さで、第１のモジュールおよび／または近接し、隣接し、または連続する第２のモジュールと連通するように構成された第１の通路および／または第２の通路を備える、
−第１の通路および第２の通路は、モジュールの長手方向軸線と平行に延在する方向に沿ってモジュールの反対面の高さに配置される、
−モジュールは、第１の通路と第２の通路の間に主通路を備える、
−第１の通路および第２の通路は、モジュールの長手方向に沿って互いの延長部に配置される、
−主通路は直線である、
−変形形態では、主通路はＳ字形である、
−前記モジュール、特に前記構造要素は、航空機に取り外し可能に積み込まれるように構成されたボックスを備える、
−ボックスは、貨物エリア内のモジュールの位置決めのために貨物エリアのガイドと係合するように構成された側面を備える、
−側面は、貨物エリア内のモジュールの位置決めのために貨物エリアのガイドと係合するように構成された切欠きを備える、
−ボックスは、隣接するモジュールの対応する面の反対側に配置されるように構成された端面を備え、そのように形成された２つの隣接するモジュールは、それらを分離する二重壁厚を有する、
−変形形態では、ボックスは端面と反対側の開放端側を備え、そのように形成された２つの隣接するモジュールは、一方の開口面を他方の端面と接触させることにより、単一の壁厚で分離される、
−変形形態では、ボックスは２つの開放端側を備え、そのように形成された２つの隣接するモジュールが単一の壁によって分離されず、モジュールは、例えば、航空機の長手方向軸線に沿って、および／または航空機の長手方向軸線に垂直に配向されるように意図された内壁を備え、内壁は、独立した空間、特に会議室を形成するようにモジュールを仕切る、
−ボックスは貨物エリアへの取付け手段を備える、
−モジュールは、動力、特に電力の分配、データの伝送および／または流体の分配のための少なくとも１つの内部ネットワーク、およびモジュールの外部との循環ネットワークの少なくとも１つの接続インターフェースを備える、
−モジュールの接続インターフェースは、隣接するモジュールの少なくとも１つの接続インターフェースと係合するように構成されている、
−モジュールの接続インターフェースは貨物エリアと係合するように構成されている、
−快適性装置は、１つまたは複数の睡眠ユニットを備える、
−モジュールは、特にハンドバッグ、ラップトップ、またはその他のアイテムなどの貴重品用の１つまたは複数の収納コンパートメントを備える、
−収納コンパートメントは睡眠ユニットと統合されている、および／または睡眠ユニットの近傍に配置されている、
−第１の睡眠ユニットは、主通路と平行に配置される、
−第２の睡眠ユニットは、主通路に垂直に配置される、
−ボックスは、モジュールの長手方向に沿って１５０から２４０ｃｍの範囲の寸法を有する、
−アクセス手段は、階段またははしごを備える、
−アクセス手段は、貨物エリアの階段の床面、特に主通路への接続部上で開放している、
−はしごは真っ直ぐで、４分の１回転部または半回転部を形成することができる、
−構造要素、特にボックスは、階段を様々な所定の構成に従って固定できるように構成されている、
−ボックスは、ベースの高さ、および／またはボックスの床の高さで均等に分配された階段の固定手段を備える、
−モジュールには、特に客室乗務員向けのトイレおよび／またはサービスエリアを備える、
−トイレおよび／またはサービスエリアは、モジュールの長手方向に沿って階段の両側に配置されている、および／または、
−モジュールの上面は、貨物エリアの階段の床面と直角を形成する凹部を備える。
【００２２】
本発明はまた、特に航空機の貨物エリアの高さに配置された、前述のような１つまたは複数のモジュールを備える航空機客室に関する。
【００２３】
個別に、またはその１つまたは複数の組み合わせとして考えることができる、本発明の様々な追加または代替の特徴によれば、
−モジュールの１つはアクセスモジュールであり、他のモジュールの少なくとも１つは快適性モジュールである、
−モジュールは航空機の長手方向軸線に沿って連続して配置される、
−乗客が１つのモジュールから次のモジュールに移動できるように、モジュールは互いに連通している、
−快適性モジュールは同一である、
−変形形態では、快適性モジュールは様々なタイプであり、限られた数の標準モジュールから選択される、
−少なくとも１つまたは複数のモジュールの高さで、貨物エリアは低くされた床を有する、
−１つまたは複数のモジュールの床が貨物エリアの床の形状に適合する、
−上部デッキは、貨物エリアの部分に残りの貨物エリアの天井高よりも高い天井高を提供するために、少なくとも局所的に上げ床を特徴とする、
−上部デッキは、階段の各ステップまたは一続きのステップ上で比較的一定の天井高を維持する天井を少なくとも部分的に形成する傾斜した仕切り壁を備える、
−上げ床は階段の床面の高さにある、
−上部デッキは洗面台、トイレ、および／または、傾斜した仕切り壁の反対側のサービスエリア、を備える、
−上げ床は、洗面台、トイレ、および／または、上部デッキのサービスエリア、の前の上部デッキの床を形成する、および／または
−上げ床は、貨物エリア側の階段の最後の階段の近傍に配置された貨物エリアの表面の高さに配置される。
【００２４】
本発明の別の態様によれば、貨物エリアはモジュールの形態で配置される。
【００２５】
本発明の様々な特徴、変形、および／または実施形態は、それらが互いに互換性がなく、または排他的でない限り、様々な組み合わせに従って互いに関連付けられ得る。
【００２６】
本発明は、本発明の理解およびその実施形態の提示を完成し、および必要に応じて、その定義に寄与することができる、例として提供されるが、それに限定されない添付の図面を参照して、例として提供される実施形態を含む以下の詳細な説明を読むことにより、最もよく理解され、他の特徴および利点がより明らかになるであろう。
【図面の簡単な説明】
【００２７】
【図１ａ】貨物エリアの第１の配置に対応する、本発明による第１の一連のモジュールの概略斜視図である。
【図１ｂ】貨物エリアの第２の配置に対応する、本発明による第２の第１の一連のモジュールの概略斜視図である。
【図１ｃ】貨物エリアの第３の配置に対応する、本発明による第３の一連のモジュールの概略斜視図である。
【図２】図１ａから図１ｃとは異なる構成によるモジュールを有する、本発明による別の一連のモジュールの概略斜視図である。
【図３】図１ａから図１ｃおよび図２に記載されているようなモジュールの組み合わせを有する、本発明による別の一連のモジュールの概略斜視図である。
【図４ａ】本発明によるモジュールの代替構成の変形形態の概略斜視図である。
【図４ｂ】本発明によるモジュールの代替構成の変形形態の概略斜視図である。
【図４ｃ】本発明によるモジュールの代替構成の変形形態の概略斜視図である。
【図５】モジュールと貨物エリアとの間の第１のインターフェースモードを提示する、本発明による別の一連のモジュールの概略上面図である。
【図６】モジュールと貨物エリアとの間に第２のインターフェースモードを提示する、本発明による別の一連のモジュールの概略上面図である。
【図７】アクセスモジュールのアクセス手段の特異性を示す、本発明による別の一連のモジュールの概略上面図である。
【図８】取付け段階における図６のアクセスモジュールの第１の変形形態の概略斜視図である。
【図９】取付け段階における図６のアクセスモジュールの第２の変形形態の概略斜視図である。
【図１０】本発明によるアクセスモジュールの構成の概略斜視図である。
【図１１】本発明の第１の変形形態による客室の階段の構成の概略斜視図である。
【図１２】図１１を完成する、別の視野角による図１１を示す図である。
【図１３】問題の本発明の変形形態によって提供される利点を強調している、図１２の一部を示す図である。
【図１４】本発明の第２の変形形態による客室の階段の構成の概略斜視図である。
【発明を実施するための形態】
【００２８】
特に図１ａから図１ｃ、図２および図３に示されるように、本発明は、航空機の少なくとも１人の乗客を収容することを目的としたモジュール配置にも関する。本発明では、一般に１人の乗客に対して参照される。しかし、本発明は複数の乗客にも適用されることに留意されたい。
【００２９】
本発明によるモジュール配置は、有利には、下部デッキ１ならびに図１ａから図１ｃ、図２および図３には示されていない主客室を画定する上部デッキを備える航空機に装備することを意図されている。下部デッキ１は、少なくとも１つの貨物エリア２を備える。本発明によれば、貨物エリア２は、特に一時的または決定的に、および／あるいは可逆的または不可逆的に客室空間に変更される。したがって、本発明の実施形態によれば、貨物エリア２は、特に航空会社の要件および／または好みを満たすように設計された様々なモジュール配置に従って、柔軟なモジュール配置によって構成可能である。
【００３０】
本発明の日付に適用可能なガイドラインおよび規制によれば、貨物エリアには、地上走行、離陸および着陸段階の間、乗客は立ち入ってはいけない。貨物エリアは、これらの特定の段階以外でのみ使用可能である。言い換えれば、本発明の可能な実施によれば、乗客全員は、地上走行、離陸および着陸段階の間、１つまたは複数の上部デッキ１の指定された座席に着席しており、これらの段階以外では、変更された貨物エリア２へのアクセスを許可される。変更された貨物エリア２へのアクセスは、好ましくは、例えばチケットの購入時および／または飛行中に規定された特定のアクセス条件に従って実行される。
【００３１】
特定の例によれば、上部デッキは、特に長距離飛行を目的とした航空機に装備するために、２つの主通路および３列の座席を備える。もちろん、そのような配置は、本発明の範囲内に含まれる多くの他の可能な代替配置を示すだけであり、特に、ボーイング７４７またはエアバスＡ３８０航空機などの上部デッキは、航空機内に複数のデッキを含む。
【００３２】
特定の実施形態によれば、貨物エリア２は、制限された高さ、例えば２ｍ未満の高さを含む構成を有する。特定の状況では、貨物エリアの高さは１．８ｍ未満、さらには１．６ｍであるように構成され得る。貨物エリアの高さは、特に中央部分で測定され、貨物エリアの側面部分における高さ、すなわち、一般的に航空機の側面８の近傍に、かつ側面８に沿って配置される高さはさらに低いことに留意されたい。
【００３３】
図示の例では、貨物エリア２は、好ましくは、貨物エリア２を閉じる端壁６に結合する側壁４によって区切られている。より具体的には、側壁４は概して航空機の長手方向軸線ＸＸ’に平行に延在し、端壁６は概して航空機の長手方向軸線ＸＸ’に垂直に延在する。好ましくは、航空機の長手方向軸線ＸＸ’を軸線Ｘとして含む座標系ＸＹＺの平面ＸＺと平行に、側壁４は延在し、端壁６は、座標系ＸＹＺの平面ＹＺと平行に延在する。
【００３４】
貨物エリア２は、航空機の側面８の間にある。航空機の側面８の湾曲した形状のために、貨物エリア２の側壁４と航空機の側面８との間に残留空間が存在する。特に有利な実施形態では、本発明は、貨物エリア２の側壁４と航空機の側面８との間に存在する残留空間を最小限に削減する傾向にある貨物エリア２の側壁４を備える。この目的のために、側壁４は、例えば斜めの連結部分によって結合された複数の垂直部分を有する輪郭形状を有することができる。
【００３５】
航空機の貨物エリア２に収納されるように意図される荷物および／または商品の積み込みを可能にするために、貨物エリア２のアクセス開口部１０が、貨物エリア２の側壁４の少なくとも１つに設けられる。アクセス開口部１０は、好ましくは、貨物エリア２の側壁４の１つの高さに配置され、航空機の側面８の１つに設けられた「貨物ドア１２」と呼ばれるアクセスドア１２の反対側に配置される。本発明の範囲から逸脱することなく、装備された航空機は、図１ａから図１ｃ、図２および図３に１３で示されるようなコンパートメントにおそらく分割された複数の貨物エリアを備えることができる。
【００３６】
本発明によるモジュール配置は、「アクセスモジュール１８」と呼ばれる１つの第１のモジュール要素１８および／または「快適性モジュール２２」と呼ばれる少なくとも１つの第２のモジュール要素２２をさらに備えることができる。好ましくは、第１のモジュール要素１８および各第２のモジュール要素２２は、第１のモジュール要素１８および各第２のモジュール要素２２の構造シェルの画定に寄与する構造要素１４、特にフレーム１４を備えることができる。より具体的には、構造要素１４は、航空機の貨物エリア２に、好ましくは取り外し可能かつ可逆的に取り付け、設置または配置されるように構成される。
【００３７】
より具体的には、第１のモジュール要素１８またはアクセスモジュール１８は、航空機の上部デッキからアクセスモジュール１８へのアクセスを可能にするために、航空機の上部デッキからのアクセス手段１６を有利に備える。さらに、第２のモジュール要素２２または快適性モジュール２２は、快適性モジュール２２の中にいる乗客の快適さを改善する少なくとも１つの快適性装置２０を有利に備える。特に、「快適性装置」という用語は、乗客が部分的または完全に着座した位置および／または部分的または完全に横たわった位置で休むことを可能にする手段を表す。
【００３８】
本発明の代替実施形態によれば、アクセスモジュール１８は快適性モジュール２０を含まず、および／または快適性モジュール２２はアクセス手段１６を含まない。他の特定の実施形態によれば、アクセスモジュール１８は、少なくとも１つの快適性装置２０を有利に備えることもできる。
【００３９】
アクセス手段１６は、構造要素１４、特にフレーム１４の中または上に配置される。加えて、アクセスモジュール１８は、上部デッキが、アクセスモジュール１８の外部の、貨物エリア２内に配置された少なくとも１つの空間、例えば、快適性モジュール２２と連通することができるように構成される。特定の実施形態によれば、さらに、アクセスモジュール１８は、貨物エリア２の端壁６の１つの反対側に配置され、有利には、貨物エリア２の端壁６の１つに隣接して配置される。
【００４０】
モジュール１８、２２、特にアクセスモジュール１８は、下部と、下部の天井を形成する上部とを含むことができる。天井は、有利には、下部から独立しており、下部に固定されている。したがって、様々な天井を単一の下部に適合させて、特に上部デッキに設けられ、モジュール１８、２２へのアクセスを可能にするアクセスハッチに対するアクセスモジュールの適切な位置決めを保証することができる。実際、アクセスハッチおよびアクセスモジュール１８の相対的な位置決めは、航空機によって異なる可能性がある。実際、アクセスモジュールをアクセスハッチの下の目的の位置に配置することが可能であり、同時に、例えば貨物エリアの端壁に対してアクセスモジュールを配置することにより、貨物エリア内の表面積を失わずに、貨物エリアの容積を最適化する。
【００４１】
天井は、モジュールの内部へのアクセスを提供するハウジングを備え、そのようなハウジングは、航空機の上部デッキの床に設けられたアクセスハッチの反対側に設けられることが意図される。前記ハウジングは、例えば、アクセスハッチの形状に実質的に類似した形状を有する。変形形態では、ハウジングはアクセスハッチよりも大きい。さらに別の変形形態では、モジュールの上部が完全に開放している。
【００４２】
好ましくは、前記アクセスモジュールは、モジュールの天井と上部デッキの床との間の境界面領域を、ハウジングの縁部および／またはアクセスハッチの高さで隠し、さらには封止することを可能にする内壁を備える。
【００４３】
快適性装置２０は、構造要素１４、特にフレーム１４の中または上に配置される。さらに、快適性モジュール２２は、快適性モジュール２２の外部の、貨物エリア２内に配置された少なくとも１つの空間、例えば、別の快適性モジュール２２および／またはアクセスモジュール１８と連通することができるように構成される。図に示される実施形態によれば、快適性モジュール２２は以下のように、
−アクセスモジュール１８と別の快適性モジュール２２との間、または
−２つの他の快適性モジュール２２の間、または
−別の快適性モジュール２２と貨物エリア２の残りの部分との間
に配置される。
【００４４】
別の実施形態によれば、快適性モジュール２２は以下のように、
−アクセスモジュール１８と貨物エリア２の端壁６の１つとの間、または
−別の快適性モジュール２２と貨物エリア２の端壁６の１つとの間
に配置され得る。
【００４５】
快適性モジュール２２が貨物エリア２の残りの部分に開放している特定の構成では、貨物エリアの残りの部分へのアクセスは閉鎖された状態であることが好ましい。
【００４６】
したがって、各前記連通手段が必ずしも使用されない場合でも、快適性モジュール２２は、前記快適性モジュール２２の外部の２つの空間の間の連通を可能にするように構成されることが好ましい。
【００４７】
モジュール要素またはモジュール、特に特定用途モジュール、すなわち特にアクセスモジュール１８および快適性モジュール２２のこのような構成によって、複数の構成に合わせて配置され得るモジュール配置に従って、特定の必要に適合された方法で貨物エリア２に装備することが可能である。さらに、本発明による貨物エリア２の準備は、迅速かつ可逆的な方法で可能である。
【００４８】
特に、各モジュール、それぞれ第１のモジュール要素１８またはアクセスモジュール１８および／あるいは第２のモジュール要素２２または快適性モジュール２２は、航空機の貨物エリア２に隣接して配置され、隣接モジュールとも呼ばれるモジュールと連通するように構成される。
【００４９】
図１ａに示すように、貨物エリア２は、１つのアクセスモジュール１８および２つの快適性モジュール２２で形成された一連のモジュールおよび／またはモジュールのスタックを収容する。図１ｂに示す実施形態では、貨物エリア２は追加の快適性モジュール２２で完全に満たされている。
【００５０】
最後に、図１ｃの実施形態では、貨物エリア２のほぼ全体の容積が満たされるように、他の２つの追加の快適性モジュール２２が貨物エリア２に配置されている。これらの図に示されている快適性モジュールは、休憩エリアを画定し、それらが備える快適性装置２０は、その目的のために構成される。
【００５１】
変形形態（図示せず）では、すべての、１つまたは複数のモジュール、特に１つまたは複数の快適性モジュール２２、またはそれ以上を休憩エリアの用途以外の用途向けに、特に会議室、もてなしエリア、ショップなどの販売エリア、および／またはバーやカジノなどのレジャーエリアを画定するために構成され得る。
【００５２】
特に、これらのモジュールの少なくとも１つは、１つまたは複数の会議室を備えることができる。これらの会議室は、閉鎖されていることが好ましい。それらは、貨物エリア２内に設けられるモジュールによって画定される残りの空間から隔離されたいと思う人のプライバシーエリアとしてもまた使用され得る。例えば、それらは２から３人の乗客を収容するように構成される。それらは、有利には、電話および／またはビデオ会議システムを含む。
【００５３】
そのようなモジュールは、例えば航空機の長手方向軸線に沿って、および／または航空機の長手方向軸線に垂直に配向された内部仕切り壁を含むことができ、内部仕切り壁はモジュールを独立した空間に区分し、少なくとも部分的に前記会議室を区切る。これらの内部仕切り壁は、取り外しでき、および／または引込めることができる。それらはまた、会議室以外の用途にモジュールを区分するためにも使用され得る。
【００５４】
変形形態では、この場合連続して配置された、１つのモジュールまたは複数のモジュールは、前記もてなしエリア、前記販売エリアおよび／または前記レジャーエリアを画定する。
【００５５】
モジュールの連続またはスタック（図示せず）は、例えば、アクセスモジュール、乗客を収容することを目的とした快適性モジュール、および休憩エリアとして機能するように構成された１つまたは複数の快適性モジュールで構成される。
【００５６】
別の変形形態では、快適性モジュールの１つは、衛生モジュール、すなわち、１つまたは複数のトイレを備えるモジュールを画定することができる。言い換えれば、モジュールは、快適性装置２０またはアクセス手段１６なしで、トイレ、またはあるいはサービスエリアのみを備える。
【００５７】
有利には、本発明による各モジュール、すなわちアクセスモジュール１８および／または快適性モジュール２２は、航空機の長手方向軸線ＸＸ’に沿って隣接するモジュールと並んで配置されるように構成される。したがって、航空機の長手方向軸線ＸＸ’は「モジュールの長手方向を画定する。言い換えれば、各モジュールは、モジュールの長手方向において、別のモジュールと連続するように、さらには２つの他のモジュールの間に挟まれるように構成される。そのような配置によれば、航空機の長手方向軸線ＸＸ’に沿って水平に積み重ねられた複数の一連のモジュールが、貨物エリア２に配置されて、貨物エリア２を客室空間に変更する。
【００５８】
本発明の特定の実施形態によれば、各モジュール要素またはモジュールは、貨物エリア２の全幅にわたって延在するように構成される。本発明の関連では、貨物エリアの幅は、座標系ＸＹＺの軸線Ｚに沿って延在する。したがって、荷物の輸送のために空けておくことができる貨物エリア２の部分は、航空機の長手方向軸線ＸＸ’、または貨物エリア２内に形成された最後のモジュールまたは一連のモジュールの長手方向軸線ＸＸ’に沿って、延長部分に配置される。
【００５９】
好ましくは、各モジュール、すなわちアクセスモジュール１８および／または快適性モジュール２２は、航空機の側面８の１つを通って、特に航空機のアクセスドア１２または貨物ドア１２を通って、および貨物エリア２のアクセス開口部１０を通って貨物エリア２の中に積み込まれるように構成される。また、各モジュールは、モジュールの設置中にモジュールの長手方向に沿って移動されるように構成されて、上記のモジュールの水平方向の積み重ねを容易にする。したがって、第１のモジュールは、アクセスドア１２およびアクセス開口部１０を通って積み込まれる。次に、第１のモジュールは貨物エリア２内の目的の位置にもたらされる。貨物エリア２を特定の客室エリアに変更するために、モジュールの望ましい構成を達成するために必要なモジュールの順序に従って、同じ操作が連続する各モジュールに対して繰り返される。
【００６０】
各モジュール、すなわちアクセスモジュール１８および／または快適性モジュール２２は、例えば、望みのモジュール配置で、航空機の長手方向軸線ＸＸ’に沿って直前および／または直後に配置された少なくとも１つのモジュールと連通するように構成された少なくとも１つの第１の通路２４、有利には少なくとも１つの第２の通路２４を備える。有利には、モジュール、すなわちアクセスモジュール１８および／または快適性モジュール２２が少なくとも１つの第１の通路２４および少なくとも１つの第２の通路２４を備える場合、第１の通路２４および第２の通路２４は、望みのモジュール構成で、航空機の長手方向軸線ＸＸ’に沿って、モジュールの直前に配置されたモジュール、およびモジュールの直後に配置されたモジュールとモジュールが連通できるように配置される。
【００６１】
図示される様々な実施形態によれば、各モジュールは２つの通路２４を備え、一連のモジュールの端部に配置される通路２４の１つは、封止され、閉鎖されており、または閉鎖されるように意図されている。好ましくは、第１の通路２４および第２の通路２４は、モジュールの長手方向に沿って各モジュールの対向面の高さに配置される。
【００６２】
有利には、モジュールは、例えば、第１の通路２４を第２の通路２４に結合する主通路２６を含む。第１の通路２４および第２の通路２４の様々な構成および配置によれば、主通路２６は、直線状の配向、または少なくとも１つの屈曲部を有する湾曲した配向を有することができる。
【００６３】
図１ａから図１ｃに対応するモジュールの第１の構成によれば、第１の通路２４および第２の通路２４は、モジュールの長手方向に沿って互いの延長部に配置され、主通路２６は直線状である。前記図面はまた、アクセス手段１８が、複数の同一の快適性モジュール２２、すなわち図１ａの例による２つの快適性モジュール２２、図１ｂの例による３つの快適性モジュール２２、および図１ｃの例による５つの快適性モジュール２２と組み合わされる本発明の実施形態の例を示す。
【００６４】
図２に対応する快適性モジュール２２に特に適用可能なモジュールの別の構成によれば、第１の通路２４および第２の通路２４は、航空機の長手方向軸線ＸＸ’から横方向にオフセットされ、航空機の長手方向軸線ＸＸ’に沿った主通路はＳ字形である。
【００６５】
図２による貨物エリア２の構成の例では、快適性モジュール２２は対で異なり、これは、２つの隣接する快適性モジュールが同一ではないことを意味する。特定の実施形態によれば、２つの隣接する快適性モジュール２２は、鏡像のように互いに対称的に配置される。
【００６６】
図３では、図１ａから図１ｃおよび図２に関連して説明された前述の構成による快適性モジュール２２は、交互に組み合わされて配置されている。
【００６７】
図２および図３は、快適性モジュール２２が異なるタイプのものである例を示している。理想的には、快適性モジュール２２の異なる変形は制限され、快適性モジュール２２の標準を画定する。したがって、様々な快適性モジュール２２は、限られた数の標準的な快適性モジュール２２から選択される。用語「異なるタイプ」は、特に、快適性モジュール２２内の快適性装置２０の数および／または空間分布が異なるという事実を説明するために使用される。
【００６８】
好ましくは、様々なモジュール、すなわち少なくとも１つのアクセスモジュール１８および／または少なくとも１つの快適性モジュール２２の組み合わせが、航空機の長手方向軸線ＸＸ’に沿って連続して配置されることが説明された。有利には、一方のモジュールはアクセスモジュール１８であり、他方のモジュールの１つは快適性モジュール１８である。
【００６９】
アクセスモジュール１８は、上記の代替実施形態によれば、一連のモジュールの長手方向軸線ＸＸ’に沿った長手方向端部に配置される。変形形態では、アクセスモジュール１８は、２つの快適性モジュール２２の間に配置され得る。一連の端部に配置されるモジュールの場合、第１の通路２４および／または第２の通路２４は別のモジュールに開放しておらず、封止され、または閉鎖されている。
【００７０】
好ましくは、主通路２６は、一連のモジュールに沿って連続した主通路を形成するように、互いの延長部に配置される。図１ａから図１ｃでは、一連のモジュールによって形成された主通路２６は、一連のモジュールの全長にわたって長手方向軸線ＸＸ’に沿って直線状である。図２では、アクセスモジュール１８を除き、一連のモジュールによって形成された主通路２６はＳ字形の主通路２６になり、Ｓ字形主通路は、一連のモジュールに沿って鏡像のように配置される。図３では、一連のモジュールによって形成された主通路２６は、直線部分とＳ字形の鏡像部分とを組み合わせている。したがって、モジュールは互いに連通し、乗客は一連のモジュールに沿って、あるモジュールから隣のモジュールに移動できる。
【００７１】
図４ａから図４ｃによりよく見られるように、モジュールの構造要素１４は、例えば、取り外し可能に航空機に積み込まれるように構成され、側面２８を含むボックス２７を備える。代替実施形態によれば、ボックス２７の側面２８は、貨物エリア２に配置された長手方向ガイド３０（図１ａおよび図１ｂに見える）と係合するように構成される。特定の例によれば、長手方向ガイド３０は、貨物エリア２の側壁４の足部に配置される。特に、長手方向ガイド３０は、貨物エリア２内のモジュールの適切な位置決めを保証することを可能にする。
【００７２】
例として、ボックス２７の側面２８の少なくとも１つは、図４ａから４ｃに示されるように、特に４５°に配向された少なくとも１つのカットパネル３２を備えることができる。特定の実施形態によれば、カットパネル３２は、貨物エリア２の長手方向ガイド３０と平行に、かつその上に摺動するように意図されている。図示のように、ボックス２７は、航空機の長手方向軸線ＸＸ’に沿って、好ましくは貨物エリア２の側壁４と平行に延在するボックス２７の側面２８のそれぞれに配置された２つのカットパネル３２を含む。
【００７３】
加えて、カットパネル３２は、貨物エリア２の側壁４と航空機の側面８との間に存在する残留空間を減少させることを可能にする。そのような幾何学的構成は、特定の必要に従ってアクセスモジュール１８および／または快適性モジュール２２内に適合され得るように、モジュールに最適な体積を提供する。
【００７４】
ボックス２７は、貨物エリア内の端部位置に配置された、隣接するモジュールの対応する端面３４の反対側に配置されるように構成された「積み重ね面３４」とも呼ばれる端面３４をさらに含む。端面３４は、モジュールの長手方向軸線に垂直に配置されている。端面３４は、構造要素１４と共にモジュールの構造シェルを画定するために、ボックス２７の側面２８を接合する。言い換えれば、そのような実施形態の変形形態では、そのように形成された２つの隣接するモジュール１８、２２は、それらを分離する二重壁厚を有する。
【００７５】
変形形態では、ボックス２７は、端面３４と反対側の開放端側面とを備え、その結果、そのように形成された２つの隣接するモジュール１８、２２は、一方の開口面を他方の端面と接触させることにより、単一の壁厚によって分離される。
【００７６】
さらに別の変形形態では、ボックス２７は、２つの隣接するモジュール１８、２２がそれらを分離する壁厚を含まないように、２つの開放端側面を備える。
【００７７】
ただし、モジュールは、側面を結合して剛性を強化するストリンガを備えることができ、ストリンガの配置は、ストリンガがアクセスモジュールを装備している場合に、アクセスハッチを塞ぐことを防止するように変更可能である。
【００７８】
さらに、実施形態の変形形態では、ボックス２７は、ボックス２７の内部を見えるようにするために、図４ａから図４ｃには図示されないベース３６および／または上面を備えることもできる。ベース３６および／または上面は、それぞれ、側面２８および／またはボックス２７の端面３４の下部セグメントから延在し、側面２８の上部セグメントから延在する。ボックス２７のベース３６は、モジュールの床によって有利に覆われている。上面３６は、存在する場合、モジュールの天井を形成する。モジュールの第１の通路２４および／または第２の通路２４は、例えば、ボックス２７の端面３４に設けられた開口部によって形成される。
【００７９】
好ましくは、ボックス２７は、ボックス２７を貨物エリア内の定位置に維持する取付け手段を備える。取付け手段は、側壁４および／または貨物エリア２の床に対してボックス２７をつなぐ点または固定する点を構成する。
【００８０】
図１ａから図１ｃ、図２、図３、および図４ａから図４ｃを参照すると、快適性装置２０は、例えば、少なくとも１つの睡眠ユニット３８を備えることに留意されたい。特定の一構成によれば、少なくとも１つの第１の睡眠ユニット３８は、特に、主通路２６と平行に配置される。代替的または補完的な方法で、少なくとも１つの第２の睡眠ユニット３８は、特に、主通路２６に対して垂直に配置される。睡眠ユニットは、例えば、主通路２６の両側に配置される。
【００８１】
他の構成によれば、睡眠ユニット３８は、座標系ＸＹＺの軸線Ｚに沿って、互いに重ね合わされた複数の寝台を備えることができる。
【００８２】
図から分かるように、例として、ボックス２７のベース３６に配置される寝台は、カットパネル３２の存在のために、それらの上に配置される寝台に対してオフセットされることができ、寝台はそれらの配向に依存して長手方向または横方向にオフセットされる。
【００８３】
図１ａから図１ｃに示す構成によれば、第１の睡眠ユニット３８は、ボックス２７の一方の端面３４から他方の端面３４へ、主通路２６とボックス２７の側面２８の一方との間に延在する少なくとも２つの重ねられた寝台を備えることができる。
【００８４】
加えて、モジュールは、主通路２６から延在する廊下４０をさらに備える。図示の例では、廊下４０はボックス２７の端面３４と平行に延在する。そのような構成では、主通路２６と廊下４０は一緒に「Ｔ」字形を形成する。
【００８５】
第２の睡眠ユニット３８は、主通路２６からボックス２７の側面２８の一方まで、廊下４０とボックス２７の各端面３４との間に延在する、２つの連続の少なくとも２つの重ねられた寝台を備える。
【００８６】
図２に示される構成によれば、少なくとも２つの重ねられた寝台を備えることができる第１の睡眠ユニット３８は、モジュールの長手方向軸線に沿って、ボックス２７の一方の端面３４から、主通路２６とボックス２７の一方の側面２８との間に延在する。少なくとも２つの重ねられた寝台を備えることができる第２の睡眠ユニット３８は、ボックス２７の他方の端面３４に沿って、ボックス２７の同じ側面２８から主通路２６まで、第１の寝台ユニット３８に対して垂直に延在する。第１の睡眠ユニット３８および第２の睡眠ユニット３８は、このように配置されると、モジュールのコーナーに配置される「Ｌ」字形を形成する。「Ｌ」字形を形成する第１の睡眠ユニット３８と第２の睡眠ユニット３８との別の組み合わせは、モジュールの別のコーナーにあるモジュールの中心対称性に従って配置される。したがって、この配置では、主通路２６の両側に配置された８つの寝台を提供する。
【００８７】
図４ａに示される構成によれば、モジュールは、互いに平行でモジュールの長手方向軸線に平行な２つの主通路２６を備える。それは、各主通路２６に対応する４つの通路２４を備える。このような構成では、少なくとも２つの重ねられた寝台を備えることができる４つの第１の睡眠ユニット３８は、ボックス２７の端面３４の間でモジュールの長手方向軸線に沿って延在する。「中央」と呼ばれる２つの第１の睡眠ユニット３８は、主通路２６の間に配置されている。「側方」と呼ばれる２つの第１の睡眠ユニット３８は、少なくとも２つの重ねられた寝台を備え、特にそのカットパネル３２の頂部に、ボックス２７の側面２８に沿って「中央」と呼ばれる第１の睡眠ユニット３８と平行に延在することができる。「側方」と呼ばれる第１の睡眠ユニット３８は、考察される主通路２６の近傍で、主通路２６の１つとボックス２７の側面２８との間にそれぞれ配置される。
【００８８】
同様に、図４ｂに示される構成によれば、モジュールは、互いに平行でモジュールの長手方向軸線に平行な２つの主通路２６を備える。それは、各主通路２６に対応する４つの通路２４を備える。このような構成では、少なくとも２つの重ねられた寝台を備えることができる４つの第１の睡眠ユニット３８は、ボックス２７の端面３４の間でモジュールの長手方向軸線に沿って延在する。「中央」と呼ばれる２つの第１の睡眠ユニット３８は、少なくとも２つの重ねられた寝台を含むことができ、主通路２６の間に配置される。「側方」と呼ばれる２つの第１の睡眠ユニット３８は、少なくとも２つの重ねられた寝台を備え、ボックス２７の側面２８に沿って「中央」と呼ばれる第１の睡眠ユニット３８と平行に延在することができる。「側方」と呼ばれる第１の睡眠ユニット３８は、考察される主通路２６の近傍で、主通路２６の１つとボックス２７の側面２８との間にそれぞれ配置される。この特定の構成では、ボックス２７のベース３６に配置された寝台は、カットパネル３２が存在するため、モジュールの長手方向軸線に垂直な方向に沿って、頂部に配置される寝台に対して横方向にオフセットされ得る。
【００８９】
図４ｃに示される構成によれば、モジュールは、モジュールの長手方向軸線に平行な主通路２６と、モジュールの長手方向軸線に垂直な方向に沿って主通路２６から延在する廊下４０とを備える。図１ａから図１ｃのモジュールの構成に見られるように、主通路２６および廊下４０は「Ｔ」字形を形成するように配置されている。「側方」と呼ばれる２つの第１の睡眠ユニット３８は、少なくとも２つの重ねられた寝台を備えることができ、図４ａのモジュールの構成と同様に、ボックス２７の側面２８に沿って延在することができる。図４ｃの実施形態によれば、モジュールは、廊下４０とボックス２７の少なくとも１つの端面３４との間に配置された少なくとも１つの追加ユニット４２をさらに備える。例として、追加ユニット４２は、第２の睡眠ユニット３８であり、第１の睡眠ユニット３８からモジュールの長手方向軸線に垂直に延在する少なくとも２つの重ねられた寝台を備えることができる。別法として、追加ユニット４２は、収納空間、作業空間、またはレジャー空間を提供するために、様々な他の方法で使用され得る。
【００９０】
前述の各構成の変形形態では、睡眠ユニットが重ねられた寝台を備え付ける代わりに、睡眠ユニットが単一の寝台を備えることができる。
【００９１】
この態様は図示されていないが、端面３４の少なくとも１つは、端面３４に沿って延在する単一の睡眠ユニット３８から、２つの隣接する快適性モジュール２２の反対側に、二重に重ねられた寝台を有する睡眠ユニット３８を形成するために、引き込み可能な部分を備えることができる。
【００９２】
ボックス２７は、例えば、モジュールの長手方向に沿って１５０から２４０ｃｍの範囲の寸法を有する。より具体的には、モジュールの長手方向に沿った寸法は、１５３ｃｍまたは２２０ｃｍまたは２４０ｃｍに等しくすることが可能である。
【００９３】
モジュールの通路２４は、例えば、ボックス２７の仕切り壁によって、および／またはボックス２７の端面３４の近傍に配置された睡眠ユニット３８の端部によって画定される。
【００９４】
有利には、この態様は図示されていないが、モジュールは、特にハンドバッグ、ラップトップ、または他のアイテムなどの貴重品用の１つまたは複数の収納コンパートメントを備える。実際、乗客は、１つまたは複数の上部デッキの割り当てられた座席に付随する収納空間内にそれらを放置するのではなく、そのような物品を自分自身の身に着けておきたいと思う場合がある。機内持ち込み手荷物およびスーツケースなど、より多くの物品を上部デッキの収納空間に置くことができる。
【００９５】
収納コンパートメントは、例えば、睡眠ユニットと一体化され、および／または睡眠ユニットの近傍に配置される。特に、これらは金庫として提供され得る。それらは、寝台の頭部または足部に配置される。また、それらは代替または補完的な方法で、寝台に沿って、および／または寝台の下に配置され得る。特に、それらは、モジュールの床が低くなっている場合（さらにはそれ以上）は、寝台の下に設置され得る。
【００９６】
特定の態様によれば、それらは、収納コンパートメントに設けられたコートフックに吊るされたジャケットおよび／またはコートを保持するように構成されている。
【００９７】
モジュールはまた、特に寝台の頭部および／または足部に配置された棚、または特に会議室に配置されたテーブルを含むことができる。
【００９８】
モジュールの装備に使用される様々な要素、特に寝台、収納コンパートメント、棚および／またはテーブルは取り外し可能である。その場合、モジュールは、その目的に対して前記機器用の取付け点を有利に備える。モジュールを装備するために使用されるこれらの様々な要素は、代替的にまたは累積的に調整可能な高さを有することができる。
【００９９】
図５および図６に示すように、各モジュール、すなわちアクセスモジュール１８および／または快適性モジュール２２は、動力、特に電力を伝送し、データを送信するため、ならびに／あるいは流体、特に空調および／または水の分配するために、モジュールの少なくとも１つの内部ネットワーク５０を備える。各モジュールはさらに、モジュールの内部ネットワーク５０をモジュールの外部の少なくとも１つのネットワークに接続するための接続インターフェース５２を備え、それは特に、動力、特に電力の伝送専用、データの伝送ならびに／あるいは流体、特に空調および／または水の分配専用の航空機の特定のネットワークである。
【０１００】
図５の実施形態によれば、モジュールの接続インターフェース５２は、隣接するモジュールの少なくとも１つの接続インターフェース５２と係合するように構成される。この目的のために、モジュールの接続インターフェース５２は、隣接するモジュールの反対側に位置するように、例えばモジュールの端面３４の高さに有利に配置される。次に、内部ネットワーク５０は、例えば、モジュールの側面２８の１つに沿って延在する。特に、内部ネットワーク５０は、部分的または完全に、カットパネル３２の高さに配置され得る。しかしながら、内部ネットワーク５０は、モジュール内の所望の位置、例えば睡眠ユニット３８の近傍で、電力、データおよび／または流体を分配するためにモジュール内に配置された分岐を備えることができる。
【０１０１】
代替の実施形態によれば、本発明によるモジュールの配置は、集中接続インターフェース５４を備える。例として、集中接続インターフェース５４は、アクセスモジュール１８の高さに配置され得る。集中接続インターフェース５４は、互いに内部接続される内部ネットワーク５０から成るモジュール配置のネットワークと、動力、特に電力の伝送専用、データの伝送ならびに／あるいは流体、特に空調および／または水の分配専用の航空機の特定のネットワークと、の間に、単一の接続点を画定する。図６の実施形態によれば、各モジュールの接続インターフェース５２は、貨物エリア２と一体的に係合するように構成される。接続インターフェース５２は、例えば、ボックス２７の側面２８の１つに配置される。図５および図６の実施形態は、組み合わされることも可能である。
【０１０２】
変形形態（図示せず）では、モジュールの１つ、特に快適性モジュールは、機能性モジュール、すなわち、貨物エリアに、特に貨物エリアに配置された他のモジュールに、動力、特に電力、データ、特にデジタルデータ、および／または流体を供給するように、貨物エリアに配置されたモジュールの外部の少なくとも１つの空間と連通するように構成されたモジュールを形成することができる。機能性モジュールは、有利には、航空機の１つまたは複数の機内システムに接続されるように構成される。そのような変形形態によれば、集中インターフェース５４は機能性モジュールの高さに配置される。そのようなモジュールは、モジュールの連続／スタックの端部の１つに有利に配置される。
【０１０３】
ここで図７から図９を参照すると、アクセスモジュール１８のアクセス手段１６は、例えば階段６０を備える。階段６０は、モジュールの主通路２６に直接または間接的に結合するアクセスモジュール１８の階段の床面６２に通じている。図示されている実施形態の例では、階段６０は半回転部を形成している。それは、階段６０を主通路２６に連結するアクセス廊下によって、主通路２６に接続する。図６の実施形態によれば、アクセス廊下はＬ字形であり、階段の床面６２から主通路２６までの第１の通路６１および第２の通路６３を備える。変形形態では、階段６０は直線状または４分の１回転部を形成することができる。別法として、アクセス手段１６は、はしごを備えることができる。
【０１０４】
有利には、構造要素１４、特にボックス２７は、矢印６５で表されるように、様々な所定の構成、特に様々な所定の配向および／または配置に従って、階段６０を取り付けることができるように構成される。したがって、モジュールは、貨物エリア２と連通するために上部デッキの床に設けられたアクセス開口部に対して、本発明に従って客室空間に変更された貨物エリア２内の位置決め要件に容易に適合され得る。配向および／または配置のモジュール性は、特に、本発明によるモジュール配置が既存の航空機のすべてまたは一部に適用可能であり、かつ／またはモジュール配置が配置される貨物エリア２の構成に関係なく実施されることを保証するために必要である。
【０１０５】
この目的のために、ボックス２７は、階段６０のための固定手段を含む。階段６０の固定手段は、好ましくは、ベース３６および／またはボックス２７の床に均等に分配される。図８では、固定手段は、特に、長手方向および／または横断方向に階段を可変的に位置決めすることを可能にする固定点６７である。加えて、有利には、固定手段は、可変の角度配向も可能にする。
【０１０６】
図９に示すように、代替的および／または補完的な方法では、固定手段は特にレール６９である。図において、レール６９は航空機の長手方向軸線と平行に配置されている。別の変形形態（図示せず）では、これらはこの軸線に垂直に配置される。次いで、アクセスハッチに対する階段６０の位置決めは、航空機の長手方向軸線に沿って、貨物エリア２内のアクセスモジュール１８の位置決めを介して、レール６９によって前記軸線に垂直に実行されることができる。
【０１０７】
図１０に示すように、アクセスモジュール１８は、少なくとも１つの快適性装置２０、例えばトイレ７０および／またはサービスエリア７０もまた備える。例えば、トイレ７０および／またはサービスエリア７０は、客室乗務員または乗客の１人または複数のメンバーを対象としている可能性が高い。例として、トイレ７０および／またはサービスエリア７０は、階段６０の両側に配置される。特に、トイレ７０および／またはサービスエリア７０は、モジュールのボックス２７の側面２８に沿って配置される。
【０１０８】
トイレ７０は、それらが１つのアクセスモジュール１８の高さ、および／または特に存在する場合は衛生モジュール内の１つの快適性モジュール２２の高さに位置するかどうかに関係なく、例えば、人間の排泄物を収集するためのタンクに結合され、航空機の浄化槽から分離されている。これは、排出物の化学処理を実行するように構成されたタンクとすることができる。
【０１０９】
別の変形形態では、アクセスモジュール１８はトイレを備えておらず、さらに貨物エリア２に装備するモジュール１８、２０のいずれもトイレを備えておらず、後者は１つまたは複数の上部デッキにのみ設けられている。
【０１１０】
この態様は図示されていないが、立位を容易にするために、貨物エリア２は、１つのモジュールまたは複数のモジュール１８、２２の少なくとも高さにある低くされた床を有することができ、１つまたは複数のモジュールは、貨物エリアの床の形状に嵌合する床を有することができる。モジュールの床は、特に、低くされた位置で貨物エリアの床に嵌合し、他の位置に引き上げられるように可動であり得る。
【０１１１】
以下の説明で詳述するように、貨物エリア２の特定の配置構成では、モジュールの上面は、存在する場合、特にアクセスモジュールの階段の床面６２の高さで局所的な凹部を含むことができる。
【０１１２】
補足的な実施形態が図１１から図１４に示されており、上部デッキ７０は、階段６０の高さにアクセスハッチまたは開口部９０が設けられた床７２を有する。
【０１１３】
特定の実施形態の例によれば、上部デッキ７０は局所的に上げ床７３を備える。このような配置のため、上げ床７３は、貨物エリア２の残りの天井高よりも高い天井高を、少なくとも局所的に貨物エリア２の部分に提供することを可能にする。ボックス２７の床に投影された上げ床７３の縁に対応するエリア７４は、ボックス２７の空間を画定し、貨物エリア２の天井高は、少なくとも局所的に、貨物エリア２の残りの部分の天井高よりも高い。エリア７４は、特に図１３に示されており、点線によって垂直に範囲を定められ、図１４では灰色にされている。エリア７４では、立位が容易になり、これは、貨物エリア２の残りの部分が有すると思われる、天井高の減少を考慮すると特に有利である。
【０１１４】
有利には、上げ床７３はアクセス手段１６の近傍に配置される。より具体的には、上げ床７３は、特に、アクセス手段１６の通過のために上部デッキ７０の床７２に設けられたアクセス開口部９０の頂部に配置される。別法として、上げ床７３は、特に、アクセス開口部９０の周辺に配置される。上げ床７３のこのような構成は、アクセス開口部９０がアクセス手段１６の通過のために厳密に必要なものを超えて広げられることが可能であるように提供される。
【０１１５】
さらに、上部デッキ７０は、特に階段６０の各ステップまたは一続きのステップのアクセス手段１６の上方に比較的一定の天井高を維持する天井を少なくとも部分的に形成する傾斜した仕切り壁７６を備える。図１１から図１３の変形形態では、上部デッキ７０の上げ床７２は、アクセスモジュール１８の階段の床面６２の高さに配置されている。図１２により詳細に見られるように、傾斜した仕切り壁７６の第１の部分７８は、上げ床７３によって水平方向に延在する。
【０１１６】
一実施形態によれば、上部デッキ７０は、傾斜した仕切り壁７６の第１の部分７８の反対側に配置されるトイレ８０を含む。変形形態では、それは、サービスエリアまたは洗面台として機能することができる。より具体的には、提示された構成は、上部デッキ７０が、上げ床７３に対して傾斜した仕切り壁７６の第１の部分７８の反対側に配置された洗面台８２を備えるような構成である。したがって、上げ床７３は、トイレ８０および洗面台８２を支持する上部デッキ７０の床７２の一部を形成し、特に、図１２の実施形態は、半回転部を形成する階段６０を備えることに留意しなければならない。
【０１１７】
図１４の変形形態によれば、上げ床７３は、貨物エリア側１２の階段の最後のステップの近傍に配置された貨物エリア２の表面の高さに、ステップの側方延長部に配置される。したがって、貨物エリア２内の乗客の立位を可能にするエリア７４は、もはや階段の床面６２の高さではなく、階段６０に隣接する。このようなエリア７’は、上部デッキ７０から使用するのが難しいエリアの下に配置されるため、さらに有利である。この場合、上げ床７３は、傾斜した仕切り壁７６から独立している。特に、図１３の実施形態は、４分の１回転部を形成する階段を含むことに留意しなければならない。
【０１１８】
上げ床７３は、５ｃｍから２５ｃｍ、特に１０ｃｍから２０ｃｍ、より具体的には１０ｃｍから１６ｃｍの範囲の高さだけ、上部デッキ７０の床７２の上方にオフセットされる。これらの寸法により、貨物エリア２の対応する部分の天井高の大幅な増加をもたらし、同時に上部デッキ７０上を歩きまわる乗客によって踏み越えやすいステップが形成される。
【０１１９】
好ましくは、上部デッキは、階段６０にアクセスする側を除いて、ハッチおよび／またはアクセス開口部９０を囲む仕切り壁を備える。これらの仕切り壁は、乗客および乗組員が歩きまわるのをより安全にするために提供される。それらは、特に、上部デッキの２つのエリア、特に異なる搭乗クラスに属する２つのエリア間の分離空間の仕切り壁にすることができる。
【０１２０】
もちろん、本発明は上記の実施形態に限定されず、単に例として提供されるものである。それは、当業者が本発明の範囲内で考慮することができる様々な修正形態、代替形態、および他の変形形態、特に上記の様々な実施形式のすべての組み合わせを含み、これらのモードは個別にまたは組み合わせて採用される。
【図１ａ】
2020520840.tif 000003
【図１ｂ】
2020520840.tif 000004
【図１ｃ】
2020520840.tif 000005
【図２】
2020520840.tif 000006
【図３】
2020520840.tif 000007
【図４ａ】
2020520840.tif 000008
【図４ｂ】
2020520840.tif 000009
【図４ｃ】
2020520840.tif 000010
【図５】
2020520840.tif 000011
【図６】
2020520840.tif 000012
【図７】
2020520840.tif 000013
【図８】
2020520840.tif 000014
【図９】
2020520840.tif 000015
【図１０】
2020520840.tif 000016
【図１１】
2020520840.tif 000017
【図１２】
2020520840.tif 000018
【図１３】
2020520840.tif 000019
【図１４】
2020520840.tif 000020
【国際調査報告】
2020520840.tif 000021
2020520840.tif 000022
2020520840.tif 000023
2020520840.tif 000024
2020520840.tif 000025
2020520840.tif 000026